(57)【要約】【課題】ファンに堆積又は付着した埃等に起因する汚れやカビの発生を容易に抑制することを目的とする。【解決手段】外殻を為す筐体と、筐体の内部に配置され、中心軸が所定方向に延在する筒状であって、筐体の内部に空気を導入するタンゼンシャルファン３０と、を備える。タンゼンシャルファン３０は、所定方向の端部を閉鎖する端板３２と、端板３２に形成されてタンゼンシャルファン３０の内部と外部とを連通するファン開口３３と、を有する。筐体は、所定方向の端部を規定する側面パネルと、側面パネルに形成されて筐体の内部と外部とを連通するとともにファン開口３３と対向する筐体開口１７と、を有する。【選択図】図５
2020101321.tif 000002
【特許請求の範囲】
【請求項１】
外殻を為す筐体と、
前記筐体の内部に配置され、中心軸が所定方向に延在する筒状であって、前記筐体の内部に空気を導入するファンと、を備え、
前記ファンは、前記所定方向の端部を閉鎖する閉鎖部と、前記閉鎖部に形成されて前記ファンの内部と外部とを連通するファン開口と、を有し、
前記筐体は、前記所定方向の端部を規定する壁部と、前記壁部に形成されて前記筐体の内部と外部とを連通するとともに前記ファン開口と対向する筐体開口と、を有する空気調和機の室内機。
【請求項２】
前記ファンは、前記ファン開口を開閉可能なファン開口開閉部を有している請求項１に記載の空気調和機の室内機。
【請求項３】
前記ファン開口開閉部を開状態に操作する操作部を備え、
前記ファンは、前記操作部と係合する係合部を有し、
前記操作部は、前記ファン開口開閉部を開状態とした状態において、前記ファンの回転を規制するように前記係合部と係合する請求項２に記載の空気調和機の室内機。
【請求項４】
前記筐体は、前記筐体開口を開閉可能な筐体開口開閉部を有している請求項２または請求項３に記載の空気調和機の室内機。
【請求項５】
前記筐体開口開閉部が開状態となると前記ファン開口開閉部が開状態となるように、前記ファン開口開閉部と前記筐体開口開閉部とを連動させる第１連動部を備えている請求項４に記載の空気調和機の室内機。
【請求項６】
前記筐体の内部に導入された空気と冷媒との熱交換を行う熱交換部と、前記閉鎖部と前記壁部との間に設けられて前記熱交換部で熱交換を行った空気が流通する第１空間と熱交換を行う前の空気が流通する第２空間とを隔てる隔壁と、前記隔壁に形成されて前記ファン開口及び前記筐体開口と対向する熱交換器開口と、前記熱交換器開口を開閉可能な熱交換器開口開閉部と、を有し、前記筐体の内部に配置される熱交換器と、
前記筐体開口開閉部が開状態となると前記熱交換器開口が開状態となるように、前記熱交換器開口開閉部と前記筐体開口開閉部とを連動させる第２連動部と、を備える請求項４に記載の空気調和機の室内機。
【請求項７】
前記熱交換器開口開閉部が開状態となると前記ファン開口開閉部が開状態となるように、前記ファン開口開閉部と前記熱交換器開口開閉部とを連動させる第３連動部を備えている請求項６に記載の空気調和機の室内機。
【発明の詳細な説明】
【技術分野】
【０００１】
本発明は、空気調和機の室内機に関するものである。
【背景技術】
【０００２】
空気調和機の室内機は、外殻を為す筐体と、筐体の内部に設けられるファン及び熱交換を備えていて、ファンによって、熱交換器へ供給するための外気を筐体の内部に導入している。外気には、埃等が含まれている。このため、外気を筐体内に導入することで、筐体内には外気とともに埃等が侵入する。筐体内に埃等が侵入すると、侵入した埃が、筐体内のファンや熱交換器に堆積又は付着してしまい、汚れやカビの発生の原因となる。
このような事態を抑制するために、空気調和機の室内機では、外気の導入口等に埃を捕捉するフィルタを設け、筐体の内部に侵入する埃を抑制している（例えば、特許文献１）。
【先行技術文献】
【特許文献】
【０００３】
【特許文献１】特開２０１３−５７６４０号公報
【発明の概要】
【発明が解決しようとする課題】
【０００４】
しかしながら、筐体の内部には、様々な箇所から埃が侵入する。このため、フィルタだけでは、すべての埃の侵入を防止することはできない。したがって、フィルタを設けた場合であっても、筐体内に配置されたファンに埃が堆積又は付着し、堆積又は付着した埃が汚れやカビの発生の原因となるという問題が生じていた。
【０００５】
本発明は、このような事情に鑑みてなされたものであって、ファンに堆積又は付着した埃等に起因する汚れやカビの発生を容易に抑制することができる空気調和機の室内機を提供することを目的とする。
【課題を解決するための手段】
【０００６】
上記課題を解決するために、本発明の空気調和機の室内機は以下の手段を採用する。
本発明の一態様に係る空気調和機の室内機は、外殻を為す筐体と、前記筐体の内部に配置され、中心軸が所定方向に延在する筒状であって、前記筐体の内部に空気を導入するファンと、を備え、前記ファンは、前記所定方向の端部を閉鎖する閉鎖部と、前記閉鎖部に形成されて前記ファンの内部と外部とを連通するファン開口と、を有し、前記筐体は、前記所定方向の端部を規定する壁部と、前記壁部に形成されて前記筐体の内部と外部とを連通するとともに前記ファン開口と対向する筐体開口と、を有する。
【０００７】
上記構成では、筐体に筐体開口が形成され、ファンにファン開口が形成され、ファン開口と筐体開口とが対向している。これにより、筐体の外部から、筐体開口及びファン開口を介して、清掃具（例えば、モップ）をファンの内部に挿入することができる。したがって、作業者が清掃具を操作することで、空気調和機の室内機を分解することなく、筐体の外部からファンの内部を清掃することができる。よって、容易に、ファンに堆積又は付着した埃等を除去することができるので、ファンに堆積又は付着した埃等に起因する汚れやカビの発生を容易に抑制することができる。
【０００８】
また、本発明の一態様に係る空気調和機の室内機は、前記ファンは、前記ファン開口を開閉可能なファン開口開閉部を有していてもよい。
【０００９】
ファンの運転中にファンの端部に開口がある場合、空気が開口を介して流入及び流出するため、ファンによって搬送される空気に流れに乱れが生じる可能性がある。搬送される空気に乱れが生じると、室内機の運転効率が悪化する可能性がある。
上記構成では、ファンが、ファン開口を開閉可能なファン開口開閉部を有している。これにより、清掃時以外では、ファン開口開閉部によってファン開口を閉じることができる。したがって、ファンの運転中にファン開口を閉じることで、搬送される空気の乱れを抑制することができる。
【００１０】
また、本発明の一態様に係る空気調和機の室内機は、前記ファン開口開閉部を開状態に操作する操作部を備え、前記ファンは、前記操作部と係合する係合部を有し、前記操作部は、前記ファン開口開閉部を開状態とした状態において、前記ファンの回転を規制するように前記係合部と係合してもよい。
【００１１】
上記構成では、操作部は、ファン開口開閉部を開状態とした状態において、ファンの回転を規制するように係合部と係合する。これにより、ファンの清掃時にファンの回転が規制されるので、容易にファンの清掃を行うことができる。
また、ファンの回転を規制する機構として、ファン開口開閉部を開状態に操作する操作部を利用している。これにより、ファン開口開閉部を開状態とする部材とファンの回転を規制する部材とを別々に設ける構成と比較して、部品点数を低減し、構造を簡素化することができる。
【００１２】
また、本発明の一態様に係る空気調和機の室内機は、前記筐体開口を開閉可能な筐体開口開閉部を有していてもよい。
【００１３】
上記構成では、筐体が、筐体開口を開閉可能な筐体開口開閉部を有している。これにより、清掃時以外には、筐体開口を筐体開口開閉部によって閉状態とすることができる。したがって、筐体開口から筐体の内部へ埃等が侵入する事態を抑制することができる。
【００１４】
また、本発明の一態様に係る空気調和機の室内機は、前記筐体開口開閉部が開状態となると前記ファン開口開閉部が開状態となるように、前記ファン開口開閉部と前記筐体開口開閉部とを連動させる第１連動部を備えていてもよい。
【００１５】
上記構成では、ファン開口開閉部と筐体開口開閉部とを連動させる第１連動部を備えている。これにより、筐体開口開閉部を開状態とするだけで、ファン開口開閉部も開状態とすることができる。したがって、容易に、筐体開口及びファン開口を開状態とし、ファンの内部を清掃することができる。
【００１６】
また、本発明の一態様に係る空気調和機の室内機は、前記筐体の内部に導入された空気と冷媒との熱交換を行う熱交換部と、前記閉鎖部と前記壁部との間に設けられて前記熱交換部で熱交換を行った空気が流通する第１空間と熱交換を行う前の空気が流通する第２空間とを隔てる隔壁と、前記隔壁に形成されて前記ファン開口及び前記筐体開口と対向する熱交換器開口と、前記熱交換器開口を開閉可能な熱交換器開口開閉部と、を有し、前記筐体の内部に配置される熱交換器と、前記筐体開口開閉部が開状態となると前記熱交換器開口が開状態となるように、前記熱交換器開口開閉部と前記筐体開口開閉部とを連動させる第２連動部と、を備えていてもよい。
【００１７】
上記構成では、熱交換器の隔壁に、熱交換器開口が形成されている。また、熱交換器開口が、ファン開口及び筐体開口と対向している。これにより、熱交換器の隔壁が設けられた構成においても、筐体の外部から、筐体開口、熱交換器開口及びファン開口を介して、清掃具（例えば、モップ）をファンの内部に挿入することができる。したがって、作業者が清掃具を操作することで、空気調和機の室内機を分解することなく、筐体の外部からファンの内部を清掃することができる。
【００１８】
また、上記構成では、熱交換器開口開閉部と筐体開口開閉部とを連動させる第２連動部を備えている。これにより、筐体開口開閉部を開状態とするだけで、熱交換器開口開閉部も開状態とすることができる。したがって、容易に、筐体開口及び熱交換器開口を開状態とすることができる。
【００１９】
また、本発明の一態様に係る空気調和機の室内機は、前記熱交換器開口開閉部が開状態となると前記ファン開口開閉部が開状態となるように、前記ファン開口開閉部と前記熱交換器開口開閉部とを連動させる第３連動部を備えていてもよい。
【００２０】
上記構成では、ファン開口開閉部と熱交換器開口開閉部とを連動させる第３連動部を備えている。これにより、熱交換器開口開閉部を開状態とするだけで、ファン開口開閉部も開状態とすることができる。
また、上記構成では、熱交換器開口開閉部と筐体開口開閉部とを連動させる第２連動部を備えている。これにより、筐体開口を開状態とするだけで、熱交換器開口開閉部及びファン開口開閉部も開状態とすることができる。したがって、容易に、筐体開口、熱交換器開口及びファン開口を開状態とし、ファンの内部を清掃することができる。
【発明の効果】
【００２１】
本発明によれば、ファンに堆積又は付着した埃等に起因する汚れやカビの発生を容易に抑制することができる。
【図面の簡単な説明】
【００２２】
【図１】本発明の実施形態に係る空気調和機の室内機の斜視図である。
【図２】図１の空気調和機の室内機の筐体扉を除いた状態を示す斜視図である。
【図３】図１の空気調和機の室内機の要部拡大図であって、筐体扉及び熱交換扉を開状態とした状態を示している。
【図４】図３において、熱交換扉を除いた状態を示す図である。
【図５】図３において、ファン扉を開状態とした状態を示している。
【図６】図１の空気調和機の室内機の要部を示す斜視図であって、筐体扉、熱交換器扉及びファン扉が閉まっている状態を示した図である。
【図７】図１の空気調和機の室内機の要部を示す斜視図であって、筐体扉、熱交換器扉及びファン扉が開いている状態を示した図である。
【図８】図１の空気調和機の室内機の水平方向の断面図である。
【図９】図１の空気調和機の室内機の要部を拡大した斜視図である。
【発明を実施するための形態】
【００２３】
以下に、本発明に係る空気調和機の室内機の一実施形態について、図面を参照して説明する。なお、以下の説明では、室内機の据付時に水平方向となる方向を左右方向とし、据付時に上下方向となる方向を単に上下方向としている。また、これら左右方向及び上下方向に直交する方向を前後方向とする。なお、据付時に手前側となるのが前後方向の前側とする。また、図中のＵＰは上方を示し、ＦＲは前方を示し、ＩＮは左右方向の内側を示している。
【００２４】
図１及び図２に示すように、空気調和機の室内機１は、外殻を為す筐体１０と、筐体１０の内部に収容される熱交換器２０及びタンゼンシャルファン（ファン）３０等の各種装置（図６及び図７も参照）と、を備えている。室内機１は、導入口（後述する上面パネル１１及び前面パネルの格子の間の開口）から空気Ａを吸い込んで、温度、湿度の調整を行った後に、吹出口１９より空気Ａを吐出し、室内の空調を行う装置である。
【００２５】
筐体１０は、据付時に水平方向（左右方向）となる方向に横長の直方体形状をなしている。筐体１０は、据付時に手前側となる前面側に配置される前面パネル（図示省略）と、前面パネルに一体に接続されて据付時に上方に配置される上面パネル１１と、前面パネル及び上面パネル１１とともに内部に熱交換器２０及びタンゼンシャルファン３０を収容する空間を形成する筐体本体１２とを備えている。また、筐体１０は、前面パネルを前方から覆う吸込パネル１３を備えている。
【００２６】
筐体本体１２は、左右方向に一対に配置された側面パネル（壁部）１４と、これら一対の側面パネル１４に一体に接続されて据付け面に対向する背面パネル１５と、一対の側面パネル１４と背面パネル１５とを支持するとともに下方に配置された底面パネル１６とを有している。
【００２７】
筐体１０は、内部に、タンゼンシャルファン３０及び熱交換器２０を収納する空間を形成している。すなわち、前面パネルは該空間の前端を規定し、上面パネル１１は該空間の上端を規定している。また、筐体本体１２の一対の側面パネル１４は該空間の両側端を規定し、背面パネル１５は該空間の背面（後端）を規定している。また、底面パネル１６は、該空間の底面（下端）を規定している。
【００２８】
前面パネルは格子状を為している。また、上面パネル１１も格子状を為している。空気Ａは、前面パネル及び上面パネル１１の格子の間に形成された開口を介して、筐体１０の内部の空間に取り込まれるようになっている。
吸込パネル１３は、前面パネルを覆うように前面パネルのさらに前方側に配置されている。吸込パネル１３は、筐体本体１２に対して着脱可能となっている。
【００２９】
左右一対の側面パネル１４の少なくともどちらか一方には、筐体１０の内部の空間と外部の空間とを連通する筐体開口１７が形成されている。本実施形態では、右側の側面パネル１４に筐体開口１７が形成される例について説明するが、本発明はこれに限定されない。左側の側面パネル１４に筐体開口１７が形成されていてもよく、また、左右の両方の側面パネル１４に筐体開口１７が形成されていてもよい。
【００３０】
筐体開口１７は、略正方形状であって、側面パネル１４の中央領域に形成されている。また、筐体開口１７は、後述する熱交換器開口２３及びファン開口と対向するように設けられている。すなわち、筐体開口１７は、筐体開口１７を側面視したときに、筐体開口１７を介して、熱交換器開口２３及びファン開口３３が視認できる位置に設けられている。
【００３１】
図３から図５に示すように、側面パネル１４には、筐体開口１７を開閉するための筐体扉（筐体開口開閉部）１８が設けられている。筐体扉１８は、筐体開口１７を閉鎖する本体部１８ａと、本体部１８ａを筐体１０に対して回転自在に支持する支持部１８ｂとを有している。なお、筐体扉１８は、後述する熱交換器扉２４と、連動部４０によって連結されている。筐体扉１８と熱交換器扉２４とを連結する連動部４０の詳細については、後述する。
【００３２】
本体部１８ａは、筐体開口１７と略同形状に形成される板状の部材である。支持部１８ｂは、本体部１８ａの後端に固定されている。また、支持部１８ｂは、側面パネル１４に設けられた上下方向に延びる支持軸部１４ａに、回転自在に嵌合している。すなわち、本体部１８ａは、支持部１８ｂを中心として、上下方向軸に回動する。
【００３３】
筐体扉１８は、本体部１８ａを回動することで、本体部１８ａが筐体開口１７を閉鎖する閉状態と、本体部１８ａが筐体開口１７を閉鎖していない開状態とを切り替えることができる。筐体扉１８は、閉状態において、筐体開口１７の略全域を閉鎖する。また、筐体扉１８の本体部１８ａは、開状態において、側面パネル１４に対して、略９０度の角度を為すように、筐体１０の外側空間側に位置する。
【００３４】
筐体１０の前下部には、下方へ開口する吹出口１９が形成されている（図１及び図２参照）。吹出口１９は、底面パネル１６の前端と前面パネルの下端との間に形成されており、筐体１０の左右方向の略全域に亘って形成されている。空気Ａは、吹出口１９を介して、筐体１０の外部の空間へ吹出されるようになっている。
【００３５】
図６から図８に示すように、熱交換器２０は、筐体１０の内部に形成された空間に配置される。なお、図６及び図７では、図示の関係上、熱交換器２０の一部を省略して図示している。
熱交換器２０は、筐体１０の内部に導入された空気と冷媒との熱交換を行う熱交換部２１と、熱交換部２１で熱交換を行った空気が流通する第１空間と熱交換を行う前の空気が流通する第２空間とを隔てる隔壁２２と、隔壁２２に形成される熱交換器開口２３と、熱交換器開口２３を開閉可能な熱交換器扉（熱交換器開口開閉部）２４と、を有している。
【００３６】
熱交換部２１は、低温低圧の冷媒又は高温高圧の冷媒が流通する冷媒配管（図示せず）と、冷媒配管に取り付けられたフィン（図示せず）と、冷媒配管を支持する冷媒配管支持部２５（図９参照）とから概略構成されている。これらフィン及び冷媒配管の間には隙間が形成され、筐体１０内に導入された空気が通過できるように構成されている。
【００３７】
隔壁２２は、筐体１０の側面パネル１４の内側であって、後述するタンゼンシャルファン３０の閉鎖部の外側に設けられている。すなわち、隔壁２２は、側面パネル１４と、閉鎖部との間に設けられている。
熱交換器開口２３は、ファン開口３３及び筐体開口１７と対向するように設けられている。
【００３８】
熱交換器扉２４は、図３に示されるように、熱交換器開口２３を閉鎖する本体部２４ａと、本体部２４ａを隔壁２２に対して回転自在に支持する支持部２４ｂとを有している。なお、熱交換器扉２４は、連動部４０によって筐体扉１８と連結されている。筐体扉１８と熱交換器扉２４とを連結する連動部４０の詳細については、後述する。
【００３９】
本体部２４ａは、熱交換器開口２３と略同形状に形成される板状の部材である。支持部２４ｂは、本体部２４ａの後端に固定されている。また、支持部２４ｂは、隔壁２２に設けられた上下方向に延びる支持軸部２２ａに、回転自在に嵌合している。すなわち、本体部２４ａは、支持部２４ｂを中心として、上下方向軸に回動する。
【００４０】
熱交換器扉２４は、本体部２４ａを回動することで、本体部２４ａが熱交換器開口２３を閉鎖する閉状態と、本体部２４ａが筐体開口１７を閉鎖していない開状態とを切り替えることができる。熱交換器扉２４は、閉状態において、熱交換器開口２３の略全域を閉鎖する。また、熱交換器扉２４は、開状態において、隔壁２２に対して、略９０度の角度を為すように、隔壁２２の外側空間側に位置する。また、熱交換器扉２４は、買い状態において、熱交換器扉２４の一部が、筐体開口１７を通過して、筐体１０の外側空間側に位置する。すなわち、熱交換器扉２４は、上下方向の長さが筐体開口１７の上下方向の長さよりも短く設定され、筐体開口１７を通過可能に形成されている。
【００４１】
タンゼンシャルファン３０は、筐体１０の内部の空間に配置されている。タンゼンシャルファン３０は、左右方向（所定方向）に延在する円筒状の部材である。すなわち、タンゼンシャルファン３０の中心軸が、左右方向となるように配置されている。タンゼンシャルファン３０は、円筒状の基部３１と、基部３１の左右方向の両端部を閉鎖する端板（閉鎖部）３２と、を有する。
【００４２】
タンゼンシャルファン３０は、左右方向に延在する軸を中心に回転駆動されることにより、上面パネル１１及び前面パネルの格子の間の開口を介して、筐体１０の内部に空気を導入する。また、タンゼンシャルファン３０は、筐体１０内に導入した空気を、熱交換器２０等を介して吸入する。吸入された室内空気は、吹出口１９から室内に吹き出される。
【００４３】
端板３２は、図６に示すように、タンゼンシャルファン３０の内部と外部とを連通する３つのファン開口３３と、各ファン開口３３を開閉可能な３つのファン扉（ファン開口開閉部）３４と、を有している。
【００４４】
ファン開口３３は、各々、略１２０度の円弧状に形成されており、端板３２の周方向に略等間隔に形成されている。各ファン開口３３の縁には、切欠き部（係合部）３３ａが形成されている。切欠き部３３ａは、後述する押圧部５２と係合する。
【００４５】
ファン扉３４は、各々、ファン開口３３を閉鎖する本体部３４ａと、本体部３４ａを端板３２に対して回転自在に支持する支持部３４ｂとを有している。本体部３４ａは、ファン開口３３と略同形状に形成されており、対応するファン開口３３を閉鎖している。支持部３４ｂは、本体部３４ａの内面（タンゼンシャルファン３０の内部の空間に面する面）に固定されている。すなわち、本体部３４ａは、支持部３４ｂを中心として、上下方向軸に回動する。
また、支持部３４ｂは、端板３２に設けられた支持軸部３２ａに回転自在に嵌合している。また、支持部３４ｂと支持軸部３２ａとは付勢部３５によって連結されている。付勢部３５は、ファン開口３３を閉状態とするように、本体部３４ａを付勢している。また、支持軸部３２ａには、本体部３４ａが所定の位置を維持するようにストッパ（図示省略）が設けられている。すなわち、本体部３４ａは、ストッパが本体部３４ａの移動を規制している状態において、所定の位置を維持する（すなわち、ファン開口３３が閉鎖されていない開状態を維持する）とともに、ストッパが解除されることで、付勢部３５からの付勢力によって、ファン開口３３を閉鎖する。
【００４６】
ファン扉３４は、本体部３４ａを回動することで、本体部３４ａがファン開口３３を閉鎖する閉状態と、本体部３４ａが筐体開口１７を閉鎖していない開状態とを切り替えることができる。ファン扉３４は、閉状態において、対応するファン開口３３の略全域を閉鎖する。また、ファン扉３４は、開状態において、端板３２に対して、略９０度の角度を為すように、端板３２の内側空間側に位置する。
【００４７】
次に、筐体扉１８と、熱交換器扉２４とを連動させる連動部（第２連動部）４０について説明する。
図９に示すように、筐体扉１８と熱交換器扉２４とを連動させる連動部４０は、筐体扉１８の本体部１８ａに固定される筐体側部材４１と、熱交換器扉２４の本体部２４ａに固定される熱交換器側部材４２と、筐体側部材４１と熱交換器側部材４２とを連結する連結部材４３と、を備えている。
【００４８】
筐体側部材４１は、筐体扉１８の本体部１８ａの内面（筐体１０の内部の空間に面する面）から突出する板状の部材であって、自由端部側に第１嵌合穴（図示省略）が形成されている。
熱交換器側部材４２は、熱交換器扉２４の外面から突出する板状の部材であって、自由端部側に第２嵌合穴（図示省略）が形成されている。
【００４９】
連結部材４３は、一方向に延在する板状の部材であって、一端部側の下面から突出する第１嵌合軸部４３ａと、他端部側の下面から突出する第２嵌合軸部４３ｂと、を有する。第１嵌合軸部４３ａは、第１嵌合穴を挿通することで、第１嵌合穴と回転自在に嵌合する。また、第２嵌合軸部４３ｂは、第２嵌合穴を挿通することで、第２嵌合穴と回転自在に嵌合する。
【００５０】
次に、ファン扉３４を開くスライド機構５０について説明する。
ファン扉３４を開くスライド機構５０は、熱交換器扉２４の本体部２４ａに固定されるレール部５１と、レール部５１にスライド自在に係合する押圧部（操作部）５２と、を備えている。
【００５１】
レール部５１は、熱交換器扉２４の本体部２４ａの外面に固定されている。レール部５１は、本体部２４ａの外面から突出する２本のレールによって構成されている。２本のレールは、上下方向に所定の間隔をあけて、略平行に設けられている。また、２本のレールは、各々、水平方向に延在している。
【００５２】
押圧部５２は、２本のレールの間に設けられており、２本のレールの間をスライド可能に設けられている。また、押圧部５２は、熱交換器扉２４が開状態となると、ファン扉３４と対向するように設けられている。押圧部５２は、２本のレール及び熱交換器扉２４の本体部２４ａの外面によって案内されることで、スライドする。押圧部５２の長手方向の長さは、押圧部５２がスライドすることで、押圧部５２の先端（後述する規制部５２ａ）とファン扉３４の外面とが当接可能な長さに設定されている。
押圧部５２の先端には、切欠き部３３ａと係合する規制部５２ａが設けられている。規制部５２ａの外縁は、切欠き部３３ａの内縁と略同一形状に形成されている。
【００５３】
次に、本実施形態に係る室内機１のタンゼンシャルファン３０の清掃方法について説明する。
なお、タンゼンシャルファン３０を清掃する際には、室内機１の運転を停止する。すなわち、タンゼンシャルファン３０が回転駆動していない状態で清掃を行う。室内機１を運転している際には、筐体開口１７、熱交換器開口２３及びファン開口３３は、対応する各扉によって、すべて閉状態となっている。このため、タンゼンシャルファン３０を清掃するためには、筐体扉１８、熱交換器扉２４及びファン扉３４をすべて開き、筐体開口１７、熱交換器開口２３及びファン開口３３をすべて開状態とする必要がある。
【００５４】
筐体開口１７、熱交換器開口２３及びファン開口３３を開状態とする方法について説明する。
まず、筐体１０に設けられた筐体扉１８を筐体１０の外側方向へ引く。筐体扉１８の本体部１８ａを引くと、本体部１８ａが支持部１８ｂを中心として回動し、筐体開口１７が露出した状態となる（すなわち、筐体開口１７が開状態となる）。
【００５５】
筐体扉１８の本体部１８ａが回動すると、それに伴って（連動して）、熱交換器扉２４の本体部２４ａも回動する。詳細には、筐体扉１８の本体部１８ａが外側に回動することで、連動部４０を介して、熱交換器扉２４の本体部２４ａが外側方向に引っ張られる。これによって、熱交換器扉２４の本体部２４ａが支持部２４ｂを中心として回動し、熱交換器開口２３が露出した状態となる（すなわち、熱交換器開口２３が開状態となる）。
【００５６】
熱交換器扉２４の本体部２４ａが回動すると、それに伴って押圧部５２の先端がファン扉３４と対向する。この状態で、押圧部５２の後端（先端と逆方向の端部）をファン扉３４の方向へ押圧することで、押圧部５２が、ファン扉３４の方向へスライドする。押圧部５２がスライドすることで、押圧部５２とファン扉３４とが当接する。その状態からさらに押圧部５２がスライドすることで、押圧部５２がファン扉３４（詳細には、ファン扉３４の本体部３４ａ）をファンの内部方向へ押圧する。押圧部５２がファン扉３４の本体部３４ａを押圧すると、本体部３４ａが支持部を中心として回動し、ファン開口３３が露出した状態となる（すなわち、ファン開口３３が開状態となる）。すなわち、押圧部５２によって、ファン開口３３を開状態に操作する。ファン扉３４の本体部３４ａは、略９０度回動すると、ストッパによって移動が規制される。
【００５７】
押圧部５２の先端に設けられた規制部５２ａは、ファン扉３４を押圧するとともに、ファン開口３３に形成された切欠き部３３ａと係合する。規制部５２ａと押圧部５２とが係合すると、規制部５２ａの外面と、押圧部５２の縁とが当接することで、タンゼンシャルファン３０の回転が規制される。
【００５８】
このように、筐体開口１７、熱交換器開口２３及びファン開口３３を開状態とする。筐体開口１７、熱交換器開口２３及びファン開口３３が開状態となると、筐体１０の外部空間と、タンゼンシャルファン３０の内部空間とが、筐体扉１８、熱交換器扉２４及びファン扉３４を介して連通した状態となる。
この状態で、作業者は、ハンディタイプのモップ等の清掃具を筐体開口１７、熱交換器開口２３及びファン開口３３を介してタンゼンシャルファン３０の内部に挿入し、タンゼンシャルファン３０の内部を清掃する。
【００５９】
清掃を終えると、筐体開口１７、熱交換器開口２３及びファン開口３３を閉状態とする。具体的には、まず、ストッパを解除する。ストッパが解除されると、付勢部３５からの付勢力によって、ファン扉３４の本体部３４ａが、ファン開口３３側へ回動しファン開口３３を閉状態とする。次に、筐体扉１８の本体部１８ａを筐体開口１７側へ回動させて、筐体開口１７を閉状態とする。このとき、連動部４０を介して、熱交換器扉２４の本体部２４ａも熱交換器開口２３側へ回動し、熱交換器開口２３を閉状態とする。
【００６０】
このようにして、タンゼンシャルファン３０の清掃を終了する。
【００６１】
本実施形態によれば、以下の作用効果を奏する。
本実施形態では、筐体１０に形成された筐体開口１７と、熱交換器２０に形成された熱交換器開口２３と、ファンに形成されたファン開口３３とが対向している。これにより、筐体１０の外部から、筐体開口１７、熱交換器開口２３及びファン開口３３を介して、清掃具（例えば、ハンディタイプのモップ）をタンゼンシャルファン３０の内部に挿入することができる。したがって、作業者が清掃具を操作することで、空気調和機の室内機１を分解することなく、筐体１０の外部からタンゼンシャルファン３０の内部を清掃することができる。よって、容易に、タンゼンシャルファン３０に堆積又は付着した埃等を除去することができるので、タンゼンシャルファン３０に堆積又は付着した埃等に起因する汚れやカビの発生を容易に抑制することができる。
【００６２】
タンゼンシャルファン３０の運転中にタンゼンシャルファン３０の端部に開口がある場合、空気が開口を介して流入及び流出するため、タンゼンシャルファン３０によって搬送される空気に流れに乱れが生じる可能性がある。搬送される空気に乱れが生じると、室内機１の運転効率が悪化する可能性がある。
本実施形態では、タンゼンシャルファン３０が、ファン開口３３を開閉可能なファン扉３４を有している。これにより、清掃時以外では、ファン扉３４によってファン開口３３を閉じることができる。したがって、タンゼンシャルファン３０の運転中にファン開口３３を閉じることで、搬送される空気の乱れを抑制することができる。
【００６３】
本実施形態では、ファン扉３４を開状態とした状態において、押圧部５２（より詳細には、押圧部５２の先端に設けられた規制部５２ａ）が、タンゼンシャルファン３０の回転を規制するように切欠き部３３ａと係合する。これにより、タンゼンシャルファン３０の清掃時にタンゼンシャルファン３０の回転が規制されるので、容易にタンゼンシャルファン３０の清掃を行うことができる。
また、タンゼンシャルファン３０の回転を規制する機構として、ファン扉３４を開状態に操作する押圧部５２を利用している。これにより、ファン扉３４を開状態とする部材と、タンゼンシャルファン３０の回転を規制する部材とを別々に設ける構成と比較して、部品点数を低減し、構造を簡素化することができる。
【００６４】
本実施形態では、筐体１０が、筐体開口１７を開閉可能な筐体扉１８を有している。これにより、清掃時以外には、筐体開口１７を筐体扉１８によって閉状態とすることができる。したがって、筐体開口１７から筐体１０の内部へ埃等が侵入する事態を抑制することができる。
【００６５】
また、本実施形態では、熱交換器扉２４と筐体扉１８とを連動させる連動部４０を備えている。これにより、筐体扉１８を開状態とするだけで、熱交換器扉２４も開状態とすることができる。したがって、容易に、筐体開口１７及び熱交換器開口２３を開状態とすることができる。
【００６６】
なお、本発明は、上記実施形態に限定されるものではなく、その要旨を逸脱しない範囲において、適宜変形が可能である。
【００６７】
例えば、上記実施形態の構成に加えて、さらに、室内機１が、熱交換器扉２４とファン扉３４とを連動させる連動部（第３連動部）を備えていてもよい。上記実施形態では、熱交換器扉２４と筐体扉１８とを連動させる連動部４０を備えているので、さらに、熱交換器扉２４とファン扉３４とを連動させる連動部を設けることで、筐体扉１８を開状態とするだけで、熱交換器扉２４及びファン扉３４も開状態とすることができる。したがって、より容易に、筐体開口１７、熱交換器開口２３及びファン開口３３を開状態とし、タンゼンシャルファン３０の内部を清掃することができる。
【００６８】
また、例えば、熱交換器２０の隔壁２２を設けない室内機１に本発明を適用してもよい。隔壁２２を設けない室内機１の場合には、筐体扉１８とファン扉３４とを連動させる連動部（第１連動部）を設け、筐体扉１８を開状態とすると、連動してファン扉３４も開状態となるように構成してもよい。
【００６９】
このように構成することで、筐体扉１８を開状態とするだけで、ファン扉３４も開状態とすることができるので、隔壁２２を設けない構成においても、容易に、筐体開口１７及びファン開口３３を開状態とし、タンゼンシャルファン３０の内部を清掃することができる。
【符号の説明】
【００７０】
１      ：室内機
１０    ：筐体
１１    ：上面パネル
１２    ：筐体本体
１３    ：吸込パネル
１４    ：側面パネル（壁部）
１４ａ  ：支持軸部
１５    ：背面パネル
１６    ：底面パネル
１７    ：筐体開口
１８    ：筐体扉（筐体開口開閉部）
１８ａ  ：本体部
１８ｂ  ：支持部
１９    ：吹出口
２０    ：熱交換器
２１    ：熱交換部
２２    ：隔壁
２２ａ  ：支持軸部
２３    ：熱交換器開口
２４    ：熱交換器扉（熱交換器開口開閉部）
２４ａ  ：本体部
２４ｂ  ：支持部
２５    ：冷媒配管支持部
３０    ：タンゼンシャルファン（ファン）
３１    ：基部
３２    ：端板（閉鎖部）
３２ａ  ：支持軸部
３３    ：ファン開口
３３ａ  ：切欠き部（係合部）
３４    ：ファン扉（ファン開口開閉部）
３４ａ  ：本体部
３４ｂ  ：支持部
３５    ：付勢部
４０    ：連動部（第２連動部）
４１    ：筐体側部材
４２    ：熱交換器側部材
４３    ：連結部材
４３ａ  ：第１嵌合軸部
４３ｂ  ：第２嵌合軸部
５０    ：スライド機構
５１    ：レール部
５２    ：押圧部（操作部）
５２ａ  ：規制部
【図１】
2020101321.tif 000003
【図２】
2020101321.tif 000004
【図３】
2020101321.tif 000005
【図４】
2020101321.tif 000006
【図５】
2020101321.tif 000007
【図６】
2020101321.tif 000008
【図７】
2020101321.tif 000009
【図８】
2020101321.tif 000010
【図９】
2020101321.tif 000011